(57)【要約】【課題】  便座装置にに設けた送信手段と便器側に設けた受信手段との間で通信ができない時、いずれが故障しているかが簡単に判る。【解決手段】  便座側リモコン信号受信部１３で受信した便座側リモコン装置１２から送信された便器洗浄用のリモコン信号の情報を便器２側に向けて送信するための送信手段５を便座装置３に設ける。便器２側に上記送信手段５から送信された信号を受信する受信手段６を設け、受信手段６で受信した送信手段５から送信された信号の情報に基づいて便器洗浄手段１を制御して便器洗浄を行うことで通常モードにおける便器洗浄を行う。故障点検モードの際に、便座装置３を便器２から外して便座側リモコン装置１２から直接受信手段６に向けて便器洗浄のリモコン信号を送信した際にのみ該便器洗浄のリモコン信号を受信手段６側で受付ける。【選択図】        図１
2006328830.tif 000002
【特許請求の範囲】
【請求項１】
便器洗浄手段を備えた便器と、上記便器に着脱自在に取付けられる便座側機能部を備えた便座装置と、便座側機能部を操作するためのリモコン信号、便器洗浄のリモコン信号を送信することができる便座側リモコン装置とを有する便器装置において、該便器装置に通常モードと故障点検モードとを設け、便座装置に上記便座側リモコン装置からのリモコン信号を受信するための便座側リモコン信号受信部を設け、便座側リモコン信号受信部で受信した上記便座側リモコン装置から送信された便器洗浄用のリモコン信号の情報を便器側に向けて送信するための送信手段を便座装置に設け、便器側に上記送信手段から送信された信号を受信する受信手段を設け、受信手段で受信した送信手段から送信された信号の情報に基づいて便器洗浄手段を制御して便器洗浄を行うことで通常モードにおける便器洗浄を行い、上記故障点検モードの際に、便座装置を便器から外して便座側リモコン装置から直接受信手段に向けて便器洗浄のリモコン信号を送信した際にのみ該便器洗浄のリモコン信号を受信手段で受信して該信号を受け付けて便器洗浄を行うように制御することを特徴とする便器装置。
【発明の詳細な説明】
【技術分野】
【０００１】
本発明は、便座側リモコン装置からのリモコン信号を便座側で受信し、更に、そのリモコン信号の情報が便器洗浄用の情報の場合には便座装置に設けた送信手段から便器側に設けた受信手段に向けて送信して該受信手段で受信した情報に基づいて便器洗浄を行うようにした便器装置に関するものである。
【背景技術】
【０００２】
従来から便器洗浄手段と、便座装置とを備えた便器装置が特許文献１により知られている。この特許文献１に示される従来例にあっては、便器洗浄手段と、便座装置とが一つの装置ブロックとして便器に組み込まれており、この一つの装置ブロックに着座・離座検出手段を設けると共に制御部を設け、着座・離座検出手段による着座・離座を検出し、この検出結果に基づいて制御部により局部洗浄手段の制御と便器洗浄手段の制御をおこなっている。
【０００３】
上記特許文献１に示された従来例にあっては、便器洗浄手段と、便座装置とが一つの装置ブロックとして便器に組み込まれているため、便座装置のみを形状や色や機能の異なる他の便座装置と交換しようとしても不可能であり、多様な顧客のニーズに対応できないという問題がある。また、便座装置は汚れやすいので取り外して掃除したりする場合、上記のような一体型のものは便座装置部分を取り外して簡単に掃除することができないという問題があり、更に、長期間の使用中に便座装置部分が損傷したりしやすいが、この場合でも便座装置部分のみを交換するということができず、局部洗浄手段と便器洗浄手段とが備わっている装置ブロック全体を交換する必要があり、交換に要するコストが高くなってしまうという問題がある。
【０００４】
これを解決するため、便器洗浄手段を備えた便器に、これとは別体の便座装置を着脱自在に取付け、便座装置に着座・離座検出手段で検出した着座・離座情報を無線信号で送信する送信手段を設け、便器側に上記送信された無線信号を受信する受信手段を設け、送信手段で送信された信号を受信手段で受信して該受信した信号に基づいて便器洗浄手段により便器洗浄を行うようにした便器装置を考えた。これだと、上記のように便座装置側と便器洗浄手段を備えた便器側とを配線で接続したものに比べて配線に邪魔されることなく掃除ができ、更に、便座装置を取り外して掃除したり、保守点検したりするのが容易に行え、また、便座装置のみを交換することができ、交換に要するコストも低くなる。
【０００５】
しかしながら、このように、便座装置に送信手段を設け、便器側に受信手段を設けて無線により通信するようにしたものにおいては、送信手段、受信手段で通信ができなくなった場合、送信手段側が故障しているのか、受信手段側が故障しているのかが分からず、両方を分解して点検する必要があり、非常に手間がかかるという新たな問題が発生することがわかった。
【特許文献１】特開平９−１９５３５６号公報
【発明の開示】
【発明が解決しようとする課題】
【０００６】
本発明は上記の従来の問題点に鑑みて発明したものであって、便座装置に設けた送信手段と便器側に設けた受信手段との間で無線で通信するものにおいて、通信ができなくなった場合に、送信手段側が故障しているのか、受信手段側が故障しているのかが簡単に判り、修理が容易に行える便器装置を提供することを課題とするものである。
【課題を解決するための手段】
【０００７】
上記課題を解決するために本発明に係る便器装置は、便器洗浄手段１を備えた便器２と、上記便器２に着脱自在に取付けられる便座側機能部８を備えた便座装置３と、便座側機能部を操作するためのリモコン信号、便器洗浄のリモコン信号を送信することができる便座側リモコン装置１２とを有する便器装置Ａにおいて、該便器装置Ａに通常モードと故障点検モードとを設け、便座装置３に上記便座側リモコン装置１２からのリモコン信号を受信するための便座側リモコン信号受信部１３を設け、便座側リモコン信号受信部１３で受信した上記便座側リモコン装置１２から送信された便器洗浄用のリモコン信号の情報を便器２側に向けて送信するための送信手段５を便座装置３に設け、便器２側に上記送信手段５から送信された信号を受信する受信手段６を設け、受信手段６で受信した送信手段５から送信された信号の情報に基づいて便器洗浄手段１を制御して便器洗浄を行うことで通常モードにおける便器洗浄を行い、上記故障点検モードの際に、便座装置３を便器２から外して便座側リモコン装置１２から直接受信手段６に向けて便器洗浄のリモコン信号を送信した際にのみ該便器洗浄のリモコン信号を受信手段６で受信して該信号を受け付けて便器洗浄を行うように制御することを特徴とするものである。
【０００８】
このような構成とすることで、送信手段５から受信手段６に通信できなくなった場合、便器装置Ａを通常モードから故障点検モードに切り換えると共に便座装置３を便器２から外し、便座側リモコン装置１２を便器２側の受信手段６側に向けて便座側リモコン装置１２から便器洗浄のリモコン信号を送信して、該信号を受け付けて便器洗浄を行った場合は、受信手段６側は故障しておらず、送信手段５側が故障していると判り、また、上記の場合に受信手段６側で便座側リモコン装置１２からの便器洗浄のリモコン信号を受付けないと、少なくとも受信手段６が故障していることが判るので、故障の修理が容易に行えることになる。
【発明の効果】
【０００９】
本発明は、便座装置と便器側とで通信ができなくなった場合に、便座装置に設けた送信手段側が故障しているのか、便器側に設けた受信手段側が故障しているのかが簡単に判り、修理が容易に行える。
【発明を実施するための最良の形態】
【００１０】
以下、本発明を添付図面に示す実施形態に基いて説明する。
【００１１】
便器２はボウル部１５を水で洗浄するための便器洗浄手段１を備えた水洗便器である。添付図面に示す実施形態では図２乃至図４に示すように便器２の後部の内部にターントラップブロック１６を内装し、便器２の後部のターントラップブロック１６を配設した部分の上方位置には便器制御部ケース２１が設けてあり、更に、便器２には便器洗浄用管路１８が設けてあって、該便器洗浄用管路１８の一端が水道管のような水供給管２５に止水栓２０を介して接続してある。
【００１２】
ターントラップブロック１６のケース内には図２、図７に示すような変形性を有する材料で筒状に形成した可動自在なターントラップ１７が設けてあり、ターントラップ１７の一端部がボウル部１５の出口２６に接続してある。ターントラップ１７はターントラップブロック１６のケース外面側に設けた駆動モータ１９によりターントラップ１７の他端が上を向く姿勢と下を向く姿勢との間で可動自在となっている。
【００１３】
また、便器２の後部の上面側に設けた便器制御部ケース２１内には図３に示すように、便器洗浄用配管１８の途中に便器洗浄弁２２を設けると共に該便器洗浄弁２２及び上記駆動モータ１９を制御するためのマイコンよりなる便器側制御部１４が設けてあり、本発明においては、上記便器洗浄弁２２、ターントラップ１７を駆動する駆動モータ１９によりボウル部１５を水で洗浄するための便器洗浄手段１が構成してある。また、便器制御部ケース２１内には赤外線信号のような無線信号の受信手段６が設けてあり、更に、図１、図７に示すように上記受信手段６とは別の便器側リモコン信号受信部４４が設けてある。
【００１４】
便器側リモコン装置４３には図１に示すように、大便洗浄用の便器洗浄スイッチ操作釦９ａと、小便洗浄用の便器洗浄スイッチ操作釦９ｂとが設けてあり、便器側リモコン装置４３の大便洗浄用の便器洗浄スイッチ操作釦９ａを操作することで大便洗浄用のリモコン信号を送信し、この信号を便器側リモコン信号受信部４４で受信し、該受信信号に基づいて便器側制御部１４により便器洗浄手段１を制御して洗浄水により便器２の大便洗浄を行い、また、便器側リモコン装置４３の小便洗浄用の便器洗浄スイッチ操作釦９ｂを操作することで小便洗浄用のリモコン信号を送信し、この信号を便器側リモコン信号受信部４４で受信し、該受信信号に基づいて便器側制御部１４により便器洗浄手段１を制御して洗浄水により便器２の小便洗浄を行うようになっている。この場合、大便用の洗浄は後述のように洗浄水の量が多く、小便用の洗浄は後述のように洗浄水の量が少ない。
【００１５】
なお、図示を省略しているが便器制御部ケース３５に便器側リモコン装置４３からのリモコン信号を受信するための便器側リモコン信号受信部４４を設けることに加え、更に、便器制御部ケース３５自体に大便洗浄用の便器洗浄スイッチ操作釦９ａ、小便洗浄用の便器洗浄スイッチ操作釦９ｂを有する操作部を設けて、上記と同様の便器洗浄を行えるようにしてもよい。
【００１６】
また、便器制御部ケース２１の前部の下部には受信手段６と前後に対向する位置には図２に示すように受信側窓３０が設けてあり、便器制御部ケース２１の前部の上部は前方に向けて突出した張り出し部３１となっており、張り出し部３１の下方が凹段部３２となっており、図５に示すように該凹段部３２の奥に上記受信側窓３０が設けてある。
【００１７】
便器２の後部上面の上記便器制御部ケース２１を設けた部分より前位置の中央部には便座固定金具３３が取付けてある。この便座固定金具３３は上記のように便器制御部ケース２１を便器２の後部上面に取付けた後に便器２に取付けられるものであり、この便座固定金具３３の取付けに当たっては便器制御部ケース２１を基準にして取付け位置の調整をして取付けるようになっている。
【００１８】
図５、図６に示すように、便座固定金具３３には前後方向に長くなったガイドレール３４ａと、被係合部３４ｂとが設けてある。
【００１９】
便座装置３は装置の主体を構成する便座制御部ケース３５に便座３６と、便蓋３７とを回動自在に取付けて構成してある。
【００２０】
便座制御部ケース３５の下面部には図６に示すように、前記便座固定金具３３に設けたガイドレール３４ａに前方より差し込まれる係合部材３９ａが設けてあり、この係合部材３９ａには係合部３９ｂが設けてある。また、便座制御部ケース３５の後端部の下部は後方に向けて突出した後方突出部４０となっており、この後方突出部４０の後方突出端面には図５に示すように送信手段５と前後方向に対向する位置に送信側窓４１が設けてある。
【００２１】
便座制御部ケース３５には便座側機能部８、便座側制御部１１、送信手段５が設けてある。
【００２２】
便座装置３を便器２に対して取付けるには便座装置３の下面部に設けた係合部材３９ａを便座固定金具３３に設けたガイドレール３４ａに前方から後方に向けてスライドして差し込んで係合部３９ｂを被係合部３４ｂに図６のように係合することで便座装置３を便器２に取付けるものである。なお、便座装置３の取外しに当たっては便座装置３を上方に持ち上げて係合部３９ｂと被係合部３４ｂとの係合を外した状態で便座装置３を前方に引き出すことで取り外すことができる。
【００２３】
このガイドレール３４ａ、被係合部３４ｂを有する便座固定金具３３の構成、係合部３９ｂを有する係合部材３９ａの構成はこの種の便座装置３の取付けに当たって公知のものであり、例えば特開２０００−１１６５７０号公報などにより従来から公知となっている技術を採用することができるので、詳細な説明は省略する。
【００２４】
便座装置３を便器２に取付けた状態で、便座装置３の便座制御部ケース３５の後面下部の後方突出部４０が便器２の後部上面に取付けてある便器制御部ケース２１の前部の下部の凹段部３２に嵌り込む。この状態で凹段部３２の奥面に設けた受信側窓３０と、後方突出部４０の後方突出端面に設けた送信側窓４１とが互いに近接対向し、送信側窓４１、受信側窓３０を介して便座制御部ケース３５内に設けた送信手段５と便器制御部ケース２１内に設けた受信手段６とが一直線状に対向し、送信手段５から送信された赤外線信号のような無線信号が受信手段６に正確に受信できるようになっている。つまり、本発明においては、送信手段５と受信手段６とにより非接触伝送手段を構成している。
【００２５】
便座装置３に設けた局部洗浄手段８ａの配管には図４に示すように水道管のような水供給管２５から洗浄水を供給するためのフレキシブル管２９が接続してある。
【００２６】
便座制御部ケース３５内には図１の制御ブロック図に示すように、人体の局部を洗浄するための局部洗浄手段８ａ、人体の局部洗浄をした後に温風又は冷風により人体の局部を乾燥させるための乾燥手段８ｂ、便器２内の脱臭を行うための脱臭手段８ｃ等の便座側機能部８、マイコンよりなる便座側制御部１１、送信手段５が設けてある。また、便座制御部ケース３５には操作部３８、便座側リモコン装置１２からのリモコン信号を受信するための便座側リモコン信号受信部１３が設けてある。
【００２７】
操作部３８や便座側リモコン装置１２にはそれぞれ便座側機能部８を操作するための複数の便座側機能部操作用のスイッチ操作釦４５と、便器洗浄スイッチ操作釦９とが設けてある。
【００２８】
更に、便座装置３には着座・離座検出手段４が設けてあり、この着座・離座検出手段４は例えば便座３６に設けてある。
【００２９】
そして、着座・離座検出手段４からの信号が便座側制御部１１に入力されることで便座側機能部８を制御したり、送信手段５により赤外線信号のような信号が送信される。送信手段５から送信された着座信号や離座信号は便器制御部ケース２１内に設けた受信手段６で受信され、受信手段６で受信した信号は便器側制御部１４に入力され、この入力された信号に基づいて便器側制御部１４により便器洗浄手段１を制御してボウル部１５内に水を流して便器洗浄を行うものである。
【００３０】
上記着座・離座検出手段４からの信号で便座側機能部８を制御したり、便器洗浄手段１を制御したりするのは便座３６に座って用を足す男子の大便、女子の大小便の場合である。
【００３１】
本発明の便器装置Ａの動作をまず男子の大便、女子の大小便の場合につき説明する。使用者が便座装置３の便座３６に着座すると、着座・離座検出手段４により着座が検出され、着座後離座すると離座が検出される。着座・離座検出手段４により着座、離座が検出されると、便座側制御部１１に着座信号や離座信号が入力され、この着座信号や離座信号により便座側制御部１１により複数の便座側機能部８のうち１又は複数が制御される。この場合、一例を挙げると、例えば、着座信号が入力されると便座側機能部８の一つである脱臭手段８ｃがオンとなって脱臭を開始し、その後、離座信号が入力されると、離座信号の入力後一定時間経過後に脱臭手段８ｃがオフとなるように制御される。また、着座信号が入力されると人体の局部を洗浄するための局部洗浄手段８ａの動作受付けが可能な状態となり、その後、離座信号が入力されると局部洗浄手段８ａの動作受付け可能な状態が終了して動作受け付けができないように制御されるものであり、便座制御部ケース３５に設けた操作部３８や便座側リモコン装置１２を操作して局部洗浄手段８ａをオンさせる信号を便座側制御部１１に入力した場合、便座側制御部１１により上記動作受付けが可能な着座している期間だけ局部洗浄手段８ａを動作させるように制御し、上記動作受付けができない時（つまり着座していない時）は局部洗浄手段８ａを動作させないようになっている。これにより着座していない時に誤って局部洗浄手段８ａが動作して温水のような洗浄水を誤噴出することがないようにしている。
【００３２】
更に、着座・離座検出手段４により着座、離座が検出されると送信手段５により赤外線信号のような信号が送信される。送信手段５から送信された着座信号や離座信号は便器制御部ケース２１内に設けた受信手段６で受信され、受信手段６で受信した信号は便器側制御部１４に入力され、この入力された信号に基づいて便器側制御部１４により便器洗浄手段１を制御してボウル部１５内に水を流して便器洗浄を行うものである。
【００３３】
ここで、例えば、着座・離座検出手段４で着座を検知してから所定時間（例えば１０秒）経過すると着座確定として、その後、離座した場合には離座信号が送信手段５から送信され、受信手段６でこれを受信すると便器側制御部１４に設けたカウント手段によりカウントを開始し、カウントを開始してから一定時間（例えば１０秒）の間に着座信号を受信しない場合は上記一定時間（１０秒）経過後に便器洗浄手段１をオンとなるように制御して便器洗浄を行うものであり、便器側制御部１４に設けたカウント手段によりカウントを開始してから一定時間（例えば１０秒）の間に着座信号を受信するとカウントを停止し、この場合はカウントを開始してから一定時間経過しないので便器洗浄手段１による便器洗浄は行わない。
【００３４】
上記のような着座・離座検出手段４からの信号に基づいて行われる便器洗浄は、男子の大便、女子の大小便の場合であるので、洗浄水量が多く、これを便宜上大便洗浄という。
【００３５】
一方、男子の小便の場合は便座３６に座ることなく立って用を足し、その後、操作部３８や便座側リモコン装置１２に設けた便器洗浄スイッチ操作釦９を操作する。便器洗浄スイッチ操作釦９を操作すると、送信された信号が便座側制御部１１を経て、送信手段５から赤外線信号のような無線信号として受信手段６側に送信され、受信手段６で受信した信号は便器側制御部１４に入力され、この入力された信号に基づいて便器側制御部１４により便器洗浄手段１を制御してボウル部１５内に水を流して便器洗浄を行うものである。この場合の便器洗浄は男子の小便であるため、洗浄水量は少ない。これは小便洗浄である。
【００３６】
また、便器側リモコン装置４３の大便洗浄用の便器洗浄スイッチ操作釦９ａを操作して大便洗浄用のリモコン信号を送信すれば、該リモコン信号を便器側リモコン信号受信部４４で受信して便器側制御部１４に入力され、この入力された信号に基づいて便器側制御部１４により便器洗浄手段１を制御してボウル部１５内に水を流して便器洗浄を行うものであり、この場合は大便洗浄となって洗浄水の量が多い。また、便器側リモコン装置４３の小便洗浄用の便器洗浄スイッチ操作釦９ｂを操作して小便洗浄用のリモコン信号を送信すれば、該リモコン信号を便器側リモコン信号受信部４４で受信して便器側制御部１４に入力され、この入力された信号に基づいて便器側制御部１４により便器洗浄手段１を制御してボウル部１５内に水を流して便器洗浄を行うものであり、この場合は小便洗浄となって洗浄水の量が少ない。
【００３７】
図７には本実施形態における便器洗浄手段１による便器洗浄の動作の例を示している。本実施形態においては、便器洗浄弁２２、ターントラップ１７を駆動する駆動モータ１９によりボウル部１５を水で洗浄するための便器洗浄手段１が構成してあり、図７（ｆ）は便器洗浄手段１がオフの状態、つまり、溜め水復帰状態（待機状態）であり、この状態ではターントラップ１７他端の開口部が上を向いてターントラップ１７及びボウル部１５内に水Ｗが溜まっている。この状態で便器洗浄手段１がオンとなって便器洗浄が開示されると、まず、便器洗浄弁２２が開となって図７（ａ）の矢印に示すように水Ｗがボウル部１５に流れ出す、次に、図７（ｂ）、図７（ｃ）のように駆動モータ１９を正転させてターントラップ１７の他端の開口が下を向くようにターントラップ１７を回動してボウル部１５及びターントラップ１７内に溜まっている水Ｗをターントラップ１７の他端から排出することで水Ｗと共に汚物を排出する。次に、駆動モータ１９を逆転させて図７（ｄ）のようにターントラップ１７を回動させてターントラップ１７の他端の開口が上を向くようにする。この間、便器洗浄弁２２が開となっていて図７（ｅ）のようにターントラップ１７の他端の開口部が上を向いた状態でもボウル部１５内に水Ｗが供給され、図７（ｆ）のように他端の開口部が上を向いたターントラップ１７及びボウル部１５内に水Ｗが溜まると便器洗浄弁２２が閉となり、図７（ｆ）の溜め水復帰状態（待機状態）になる。
【００３８】
上記のようにして便器２のボウル部１５の洗浄を行うのであるが、大便洗浄と小便洗浄とで洗浄水量を変えるには、例えば、前述の大便洗浄の場合は、図７（ｃ）の状態から駆動モータ１９を逆転させるまでの時間を長くして便器洗浄弁２２から供給される洗浄水の供給時間を長くし、小便洗浄用の場合は図７（ｃ）の状態から駆動モータ１９を逆転させるまでの時間を短くして便器洗浄弁２２から供給される洗浄水の供給時間を短くする。
【００３９】
上記のように便座装置３からの便器２側に信号を送信して便器２側に備えた便器洗浄手段１の制御をするに当たって、無線信号として送受信するものであるから、現場施工の際に便器洗浄手段１を備えた便器２側と、便座装置３側とを配線で接続する工事が必要でなく、便器２に便座装置３を取付けるだけでよくて現場施工が簡略化できるものである。
【００４０】
また、便座装置３側の送信手段５と便器２側の受信手段６とを配線で接続する必要がないので、便座装置３として、形状、色、形態（機能）が異なる種々のものを用意し、顧客の好みの便座装置３を便器洗浄手段１を備えた便器２に取付けことで、送信手段５から送信した着座信号や離座信号を受信手段６で受信して便器洗浄を行うことができ、また、便座装置３が故障したり、損傷した場合でも、便座装置３のみを取り外して点検、修理ができ、また、別な便座装置３と交換することもできる。
【００４１】
また、便座装置３を掃除する際に便座装置３側と便器２側とを接続する配線がないので配線に邪魔されることなく掃除ができる。
【００４２】
ここで、送信手段５から送信する無線信号を赤外線信号とすることで、便座装置３の保守、点検や掃除のために便座装置３を便器２から取り外した際に、便座装置３を移動したり、床等に置いたり、触ったりして着座・離座検出手段により誤った着座・離座検出が行われて送信手段５から赤外線信号が送信されたとしても、便座装置３を外すことで送信手段５と受信手段６とが向かい合っていないため受信手段６で赤外線信号が受信されることがない。このため、便座装置３を外して掃除などをしている際に、誤った着座・離座検出結果に基づいて便座洗浄手段により誤って便器洗浄をすることがないことになる。
【００４３】
上記のよう便座装置３側に設けた送信手段５から着座信号、離座信号を無線信号として送信し、便器２側に設けた受信手段６により上記着座・離座信号を受信して便器２に備えた便器洗浄手段１の制御をすることで、上記したような諸特徴を有するものであるが、上記のように便座装置に送信手段５を設け、便器２側に受信手段６を設けて無線により通信するようにしたものにおいては、送信手段５、受信手段６間で通信ができなくなった場合、送信手段５側が故障しているのか、受信手段６側が故障しているのかを簡単に調べる必要がある。
【００４４】
本発明はこのように送信手段５、受信手段６間で通信ができなくなった場合に送信手段５、受信手段６のどちらが故障しているのかを簡単に調べることができるようにしたことに特徴がある。
【００４５】
すなわち、本発明の便器装置Ａは前述の通常モードとは別に故障点検モードを有している。通常モードから故障点検モードに切換えるには、例えば、まず、通常モードで送信手段５と受信手段６との間で通信ができない場合は、図８に示すように便座装置３を便器２から取り外すと共にこの便座装置３の取り外し前又は取り外し後に便座装置の電源を切る。次に、便器２側に設けた故障点検モード設定手段を操作して故障点検モードにする。
【００４６】
故障点検モード設定手段としては、例えば、便器２側に故障点検モード設定用操作スイッチを設けてこの操作スイッチを操作することによりおこなってもよいが、上記のような特別な操作スイッチを設けることなく、便器２又は便器側リモコン装置４３の大便洗浄用の便器洗浄スイッチ操作釦９ａ又は小便用の便器洗浄スイッチ操作釦９ｂを操作を上記故障点検モード設定用操作スイッチとして兼用してもよい。
【００４７】
この場合は、通常モードの状態で便器装置Ａの電源をいったん切断し、その後、便器側リモコン装置４３又は便器制御部ケース３５に設けた操作部の大便用の便器洗浄スイッチ操作釦９ａ又は小便用の便器洗浄スイッチ操作釦９ｂ（実施形態では大便用の便器洗浄スイッチ操作釦９ａ）を押しながら便器装置Ａへの電源の投入することで、所定時間（例えば３分間）だけ故障点検モードにすることができるようになっている。上記故障点検モードの間は例えば報知手段１０により「ピッ、ピッ」というような警報音を出して故障点検モードであることを報知するようにする。故障点検モードは所定時間（例えば３分間）経過すると自動的に通常モードに切り換るものである。
【００４８】
本発明においては、上記故障点検モードの状態の時のみ、便座側リモコン装置１２の便器洗浄スイッチ操作釦９を操作して送信される便器洗浄のリモコン信号を受信手段６を経て便器側制御部１４で受付けるように便器側制御部１４が構成してある。
【００４９】
ここで、上記便座側リモコン装置１２の便器洗浄スイッチ操作釦９を操作して送信される便器洗浄のリモコン信号を受信手段６で受信するには便座側リモコン装置１２を便器２側に設けた受信手段６に対向させて送信する必要があり、このため、図８に示すように、故障点検モードにするに当たってあらかじめ便座装置３を便器２から外し、その後、上記のようにして故障点検モードにし、便座側リモコン装置１２を便器２側に設けた受信手段６に対向させて便器洗浄のリモコン信号を受信手段６に向けて送信するのである。
【００５０】
したがって、受信手段６が故障していない場合は、上記故障点検モードの状態で便座側リモコン装置１２の便器洗浄スイッチ操作釦９を操作して便器洗浄のリモコン信号を便器２側に設けた受信手段６に直接送信するとこのリモコン信号を受付けて便器洗浄手段１を制御して便器洗浄を行い、他方、受信手段６が故障していない場合は、便器洗浄を行わないことになる。これにより、故障点検モードの状態で上記のように便座側リモコン装置１２からの便器洗浄のリモコン信号を受信手段６で受信して便器洗浄を行えば受信手段６は故障してなくて、送信手段５が故障していることが判るので、送信手段５を分解して修理すればよい。また、故障点検モードの状態で上記のように便座側リモコン装置１２からの便器洗浄のリモコン信号を送信しても受信が受付けられず、便器洗浄が行われなければ少なくとも受信手段６が故障していることが判るので、受信手段６を分解して修理すればよい。
【００５１】
ところで、上記実施形態においては、便器２にターントラップ１７を設けて封水をし、ターントラップ１７を駆動することで排水するようにした便器装置Ａの例を示したが、ターントラップ１７を設けることなく、ロータンクを設けてロータンク内の排水口を開閉する便器洗浄弁２２を開としてロータンク内の水をボウル部１５に流して便器洗浄を行うもの、あるいは、水道直結式で、便器洗浄弁２２を開として水道水を直接ボウル部１５内に流して便器洗浄を行うものであってもよく、この場合には便器洗浄弁２２により便器洗浄手段１が構成される。
【図面の簡単な説明】
【００５２】
【図１】本発明の制御ブロック図である。
【図２】本発明の便器装置の断面図である。
【図３】同上の上部カバーを外した状態の平面図である。
【図４】同上の斜視図である。
【図５】同上の便器に便座装置を取付ける前の状態の斜視図である。
【図６】同上の便器に取付けた便座固定金具に便座装置を取付けている部分の断面図である。
【図７】（ａ）乃至（ｆ）は同上の洗浄手段による便器洗浄の動作順序を示す説明図である。
【図８】同上の故障点検モードにおける点検状態をしめし、（ａ）は平面図であり、（ｂ）は側面図であり、（ｃ）は正面図である。
【符号の説明】
【００５３】
１  便器洗浄手段
２  便器
３  便座装置
５  送信手段
６  受信手段
８  便座側機能部
１２  便座側リモコン装置
Ａ  便器装置
【図１】
2006328830.tif 000003
【図２】
2006328830.tif 000004
【図３】
2006328830.tif 000005
【図４】
2006328830.tif 000006
【図５】
2006328830.tif 000007
【図６】
2006328830.tif 000008
【図７】
2006328830.tif 000009
【図８】
2006328830.tif 000010